(57)【要約】【課題】運転者自身の運転傾向を、実際の走行中の運転状況と対応させて視覚的に理解することが可能な運転支援技術を提供する。【解決手段】運転支援装置１は走行中に記録された車両の運転情報に基づき解析した運転傾向の診断結果を運転者に提示する。運転支援装置１は、運転傾向を解析するとともに運転情報として記録された実際の走行中の運転映像１２１と解析した運転傾向の診断結果とを表示装置２０１に表示させる制御部１０を備える。【選択図】図１
2018158609.tif 000002
【特許請求の範囲】
【請求項１】
走行中に記録された車両の運転情報に基づき解析した運転傾向の診断結果を運転者に提示する運転支援装置において、
前記運転傾向を解析するとともに、前記運転情報として記録された実際の走行中の運転映像と解析した前記運転傾向の診断結果とを表示装置に表示させる制御部を備えることを特徴とする運転支援装置。
【請求項２】
前記運転情報が所定の適否条件に基づき判別された不適な運転状態の情報を含むものであって、
前記制御部は、前記運転情報の前記不適な運転状態を含まない所定領域を前記運転傾向のうちの好適な運転部分として認識し、当該好適な運転部分に含まれる実際の走行中の運転映像を前記表示装置に表示させることを特徴とする請求項１に記載の運転支援装置。
【請求項３】
前記運転情報が所定の適否条件に基づき判別された不適な運転状態の情報を含むものであって、
所定の道路状況に対応した理想の運転状態を表す理想映像を記憶する記憶部を備え、
前記制御部が、前記不適な運転状態に対応する前記記憶部に記憶された前記理想映像を前記表示装置に表示させることを特徴とする請求項１または請求項２に記載の運転支援装置。
【請求項４】
前記理想映像が、所定の模範コースを走行したときの運転状態を記録した映像であることを特徴とする請求項３に記載の運転支援装置。
【請求項５】
前記運転情報が所定の適否条件に基づき判別された不適な運転状態の情報を含むものであって、
前記制御部は、前記運転情報の前記不適な運転状態を含む所定領域を前記運転傾向のうちの不適な運転部分として認識し、当該不適な運転部分に含まれる実際の走行中の運転映像を前記表示装置に表示させることを特徴とする請求項１〜請求項４のいずれかに記載の運転支援装置。
【請求項６】
前記制御部は、前記不適な運転状態の発生回数が所定の閾値未満である運転操作に関して、前記運転情報の前記不適な運転状態を含まない所定領域を前記運転傾向のうちの好適な運転部分として認識し、当該好適な運転部分に含まれる実際の走行中の運転映像を前記表示装置に表示させることを特徴とする請求項２〜請求項５のいずれかに記載の運転支援装置。
【請求項７】
前記記憶部が、複数回の前記運転傾向の前記診断結果を記憶し、
前記制御部は、前記記憶部に記憶された複数回の前記診断結果のうちの前後の前記診断結果を比較し、前記不適な運転状態の発生回数が前回よりも減少した運転操作について、前記運転傾向のうちの前記好適な運転部分として認識することを特徴とする請求項２〜請求項６のいずれかに記載の運転支援装置。
【請求項８】
走行中に記録された車両の運転情報に基づき解析した運転傾向の診断結果を運転者に提示する運転支援方法において、
前記運転傾向を解析する工程と、
前記運転情報として記録された実際の走行中の運転映像と解析した前記運転傾向の診断結果とを表示装置に表示させる工程と、
を含むことを特徴とする運転支援方法。
【請求項９】
走行中に記録された車両の運転情報に基づき解析した運転傾向の診断結果を運転者に提示する運転支援プログラムにおいて、
コンピュータに、
前記運転傾向を解析する処理と、
前記運転情報として記録された実際の走行中の運転映像と解析した前記運転傾向の診断結果とを表示装置に表示させる処理と、
を実行させることを特徴とする運転支援プログラム。
【発明の詳細な説明】
【技術分野】
【０００１】
本発明は、運転支援装置、運転支援方法及び運転支援プログラムに関する。
【背景技術】
【０００２】
従来、走行中に記録された車両の運転情報に基づき解析した運転傾向の診断結果を運転者に提示する運転支援装置が知られている。このような運転支援装置の従来技術の一例が特許文献１に開示されている。
【０００３】
特許文献１に記載された従来の運転技術診断システムは、車両の挙動を表す計測データを記録するデータ記録手段と、その計測データに基づいて運転者の運転操作技術を診断する診断装置と、を備える。診断装置は、車両の挙動に対する運転操作の特徴情報を生成し、さらにこの特徴情報に基づいて運転者の運転操作技術を定量化した診断情報を生成する。この運転技術診断システムは車両の挙動を表す計測データを比較、評価することで、運転者の運転技術を客観的に評価することができる。
【先行技術文献】
【特許文献】
【０００４】
【特許文献１】特開２００２−２１１２６５号公報
【発明の概要】
【発明が解決しようとする課題】
【０００５】
しかしながら、特許文献１に記載の従来技術は運転者自身の運転傾向を、運転者が目の当たりにした実際の走行中の運転状況と対応させて視覚的に理解することができないことが課題であった。すなわち、定量化されたデータだけでは、運転者自身がその運転傾向を振り返ることが困難であることが懸念された。
【０００６】
本発明は、上記の課題に鑑みなされたものであり、運転者自身の運転傾向を、実際の走行中の運転状況と対応させて視覚的に理解することが可能な運転支援技術を提供することを目的とする。
【課題を解決するための手段】
【０００７】
本発明に係る運転支援装置は、走行中に記録された車両の運転情報に基づき解析した運転傾向の診断結果を運転者に提示する運転支援装置において、前記運転傾向を解析するとともに、前記運転情報として記録された実際の走行中の運転映像と解析した前記運転傾向の診断結果とを表示装置に表示させる制御部を備える構成（第１の構成）である。
【０００８】
また、上記第１の構成の運転支援装置において、前記運転情報が所定の適否条件に基づき判別された不適な運転状態の情報を含むものであって、前記運転情報の前記不適な運転状態を含まない所定領域を前記運転傾向のうちの好適な運転部分として認識し、当該好適な運転部分に含まれる実際の走行中の運転映像を前記表示装置に表示させる構成（第２の構成）であっても良い。
【０００９】
また、上記第１または第２の構成の運転支援装置において、前記運転情報が所定の適否条件に基づき判別された不適な運転状態の情報を含むものであって、所定の道路状況に対応した理想の運転状態を表す理想映像を記憶する記憶部を備え、前記制御部が、前記不適な運転状態に対応する前記記憶部に記憶された前記理想映像を前記表示装置に表示させる構成（第３の構成）であっても良い。
【００１０】
また、上記第３の構成の運転支援装置において、前記理想映像が、所定の模範コースを走行したときの運転状態を記録した映像である構成（第４の構成）であっても良い。
【００１１】
また、上記第１〜第４の構成の運転支援装置において、前記運転情報が所定の適否条件に基づき判別された不適な運転状態の情報を含むものであって、前記制御部は、前記運転情報の前記不適な運転状態を含む所定領域を前記運転傾向のうちの不適な運転部分として認識し、当該不適な運転部分に含まれる実際の走行中の運転映像を前記表示装置に表示させる構成（第５の構成）であっても良い。
【００１２】
また、上記第２〜第５の構成の運転支援装置において、前記制御部は、前記不適な運転状態の発生回数が所定の閾値未満である運転操作に関して、前記運転情報の前記不適な運転状態を含まない所定領域を前記運転傾向のうちの好適な運転部分として認識し、当該好適な運転部分に含まれる実際の走行中の運転映像を前記表示装置に表示させる構成（第６の構成）であっても良い。
【００１３】
また、上記第２〜第６の構成の運転支援装置において、前記記憶部が、複数回の前記運転傾向の前記診断結果を記憶し、前記制御部は、前記記憶部に記憶された複数回の前記診断結果のうちの前後の前記診断結果を比較し、前記不適な運転状態の発生回数が前回よりも減少した運転操作について、前記運転傾向のうちの前記好適な運転部分として認識する構成（第７の構成）であっても良い。
【００１４】
また、本発明に係る運転支援方法は、走行中に記録された車両の運転情報に基づき解析した運転傾向の診断結果を運転者に提示する運転支援方法において、前記運転傾向を解析する工程と、前記運転情報として記録された実際の走行中の運転映像と解析した前記運転傾向の診断結果とを表示装置に表示させる工程と、を含む構成（第８の構成）である。
【００１５】
また、本発明に係る運転支援プログラムは、走行中に記録された車両の運転情報に基づき解析した運転傾向の診断結果を運転者に提示する運転支援プログラムにおいて、コンピュータに、前記運転傾向を解析する処理と、前記運転情報として記録された実際の走行中の運転映像と解析した前記運転傾向の診断結果とを表示装置に表示させる処理と、を実行させる構成（第９の構成）である。
【発明の効果】
【００１６】
本発明の構成によれば、運転者は自身が運転する車両の実際の走行中の映像と、解析した運転傾向の診断結果とを表示装置を用いて見ることができる。したがって、運転者自身の運転傾向を、実際の走行中の運転状況と対応させて視覚的に理解することが可能になる。
【図面の簡単な説明】
【００１７】
【図１】第１実施形態の運転支援装置の概略構成を示す図である。
【図２】第１実施形態の運転支援装置によって表示装置に表示された運転傾向の診断結果を示す正面図である。
【図３】第１実施形態の運転支援装置による運転傾向の診断処理の流れの例を示すフローチャートである。
【図４】第１実施形態の運転支援装置における運転操作の診断方法を示す図である。
【図５】第１実施形態の運転支援装置によって表示装置に表示された好適な運転傾向の診断結果を示す正面図である。
【図６】第１実施形態の運転支援装置によって表示装置に表示された不適な運転傾向の診断結果を示す正面図である。
【図７】第１実施形態の運転支援装置の変形例によって表示装置に表示された不適な運転傾向の診断結果を示す正面図である。
【図８】第２実施形態の運転支援装置における運転操作の診断方法を示す図である。
【図９】第３実施形態の運転支援装置の概略構成を示す図である。
【図１０】第３実施形態の運転支援装置による運転傾向の診断処理の流れの例の一部を示すフローチャートである。
【図１１】第４実施形態の運転支援装置の概略構成を示す図である。
【発明を実施するための形態】
【００１８】
以下、本発明の例示的な実施形態について、図面を参照しながら詳細に説明する。なお、本発明は以下の内容に限定されるものではない。
【００１９】
＜１．第１実施形態＞
＜１−１．運転支援装置の構成＞
図１は、第１実施形態の運転支援装置１の概略構成を示す図である。図２は、運転支援装置１によって表示装置２０１に表示された運転傾向の診断結果を示す正面図である。
【００２０】
運転支援装置１は、図１に示すその本体１ａに操作部２、制御部１０、内部記憶部２０、外部記憶部３０及び通信部３を備える。一方、外部記憶部３０は本体１ａから離隔されて設けられる。外部記憶部３０は通信部３を介して有線または無線によって本体１ａと接続され、データの授受が可能である。さらに、外部記憶部３０がネットワーク上に設けられる構成であっても良い。
【００２１】
運転支援装置１は、走行中に記録された車両の運転情報に基づき解析した運転傾向の診断結果を表示装置２０１等に表示させ、運転者に提示する。車両の運転情報はドライブレコーダ１０１によって走行中に記録される。
【００２２】
表示装置２０１は制御部１０からの指令を受信し、運転者の運転傾向の診断結果に係る各種の情報を表示する。表示装置２０１は、例えば図２に示す運転者の運転傾向の診断結果を表示する。運転傾向の診断結果としては、例えば運転操作に対する総合的な点数やコメント２０１ａ、急加速、急ハンドル、ふらつきなどといった個々の運転操作に対する評価を図示したチャート２０１ｂ等の総合評価が表示される。操作部２は表示装置２０１に表示された診断結果に対する運転者の操作、入力を受け付ける。
【００２３】
制御部１０は、図示しないＣＰＵ（Central Processing Unit）、ＲＡＭ（Random Access Memory）、ＲＯＭ（Read Only Memory）を備えるコンピュータである。制御部１０は内部記憶部２０に記憶されたプログラム２１に基づいてＣＰＵが演算処理を行い、運転支援装置１の全体を統括的に制御する。
【００２４】
内部記憶部２０はプログラム２１に加えて、診断条件データ２２を記憶する。診断条件データ２２は運転者の運転傾向の診断結果を導出する際に用いられる。診断条件データ２２としては、例えば運転操作の評価を行うための閾値等のデータが含まれる。
【００２５】
外部記憶部３０は理想映像３１を記憶する。理想映像３１は所定の道路状況に対応した理想の運転状態を記録した映像である。詳細に言えば、理想映像３１は所定の模範コース、例えば自動車教習所のコースを走行したときの運転状態を記録した映像である。理想映像３１には、例えば後述する急加速、急減速、急ハンドル、狭小車間距離、ふらつきといった不適な運転状態各々に対応して、個別の理想的な運転映像が含まれる。理想映像３１は運転傾向の診断結果を運転者に提示する際に用いられる。理想映像３１は車室内に設置されたカメラが撮像した車両の前方の映像で構成される。
【００２６】
通信部３は有線または無線によって外部記憶部３０と接続される。さらに、通信部３はドライブレコーダ１０１と接続される。通信部３とドライブレコーダ１０１とは有線または無線によって接続されても良いし、ドライブレコーダ１０１の着脱可能な記憶部１２０（例えばメモリーカード）が通信部３に直接取り付られることで接続されても良い。運転支援装置１は通信部３を介して外部記憶部３０及びドライブレコーダ１０１の記憶部１２０とデータの授受が可能である。
【００２７】
ドライブレコーダ１０１は、例えば図１に示す運転情報取得部１０２、記憶部１２０及び記録制御部１１０を備える。ドライブレコーダ１０１は車両の運転情報を走行中に記録する。
【００２８】
運転情報取得部１０２は、例えば不図示のカメラ、加速度センサー、ＧＰＳ（Global Positioning System）アンテナ等を含む。カメラは車両の前方の映像を撮像する。加速度センサーは車両に生じる加速度の変化を検出する。ＧＰＳアンテナは車両の位置情報を取得する。
【００２９】
記憶部１２０はドライブレコーダ１０１の内部に設けられたＲＡＭとして構成しても良いし、ドライブレコーダ１０１に対して着脱可能なメモリーカード等として構成しても良い。記憶部１２０は運転情報取得部１０２が取得した運転情報として、例えば運転映像１２１、運転データ１２２を記録する。運転映像１２１は運転情報取得部１０２のカメラが撮像した車両の前方の映像で構成される。運転データ１２２は加速度センサーが検出した加速度情報、ＧＰＳアンテナを介して取得した車両の位置情報等に基づいて形成される。
【００３０】
記録制御部１１０は、図示しないＣＰＵ、ＲＡＭ、ＲＯＭを備えるコンピュータである。記録制御部１１０は記憶部１２０に記憶された不図示のプログラムに基づいてＣＰＵが演算処理を行い、ドライブレコーダ１０１の全体を統括的に制御する。
【００３１】
記録制御部１１０は複数の所定の運転操作に関して、カメラ、加速度センサー、ＧＰＳアンテナを用いて得られた情報に基づいて運転データ１２２を形成する。運転データ１２２には、例えば加速、減速、ハンドル操作、車間距離、車両位置（ふらつき度合）といった運転操作に係るデータが含まれる。そして、例えば加速に関して詳しく言えば、所定の適否条件に基づき判別された急加速状態が不適な運転状態として記憶され、計数される。すなわち、運転データ１２２には、例えば急加速、急減速、急ハンドル、狭小車間距離、ふらつきといった不適な運転状態の発生回数に係るデータが含まれる。
【００３２】
＜１−２．運転支援装置による運転傾向の診断処理＞
続いて、運転支援装置１による運転傾向の診断処理の流れについて説明する。図３は、運転支援装置１による運転傾向の診断処理の流れの例を示すフローチャートである。図４は、運転支援装置１における運転操作の診断方法を示す図である。図５は、表示装置２０１に表示された好適な運転傾向の診断結果を示す正面図である。図６は、表示装置２０１に表示された不適な運転傾向の診断結果を示す正面図である。
【００３３】
運転支援装置１による運転傾向の診断処理が開始されると（図３の「開始」）、制御部１０が運転映像１２１及び運転データ１２２を取得する（図３のステップＳ１１）。運転映像１２１及び運転データ１２２は通信部３を介してドライブレコーダ１０１から取得され、内部記憶部２０に記憶される。
【００３４】
次に、制御部１０は運転傾向の解析を実行する（ステップＳ１２）。運転傾向の解析には運転映像１２１、運転データ１２２及び診断条件データ２２が用いられる。
【００３５】
具体的に言えば、運転傾向の解析では、例えば加速、減速、ハンドル操作、車間距離、車両位置（ふらつき度合）の運転操作に関して、運転者に点数が付与される。運転操作に係る点数は、例えば図４に示すように初期持ち点１００点からの減点形式で算出される。これらの運転操作において、不適な運転状態の発生回数が減点される。
【００３６】
そして、制御部１０は運転情報である運転映像１２１及び運転データ１２２において、不適な運転状態を含む所定領域を運転傾向のうちの不適な運転部分として認識する。また、制御部１０は運転情報である運転映像１２１及び運転データ１２２において、不適な運転状態を含まない所定領域を運転傾向のうちの好適な運転部分として認識する。
【００３７】
次に、制御部１０は総合評価、コメント等を運転傾向の診断結果として表示装置２０１に表示させる（ステップＳ１３）。運転傾向の診断結果としては、例えば図２に示した運転操作に対する総合的な点数やコメント２０１ａ、急加速、急ハンドル、ふらつきなどといった個々の運転操作に対する点数を図示したチャート２０１ｂ等の総合評価が表示装置２０１に表示される。
【００３８】
次に、制御部１０は運転者によって好適な運転操作に対する診断結果が選択されたか否かを判定する（ステップＳ１４）。運転者は操作部２を用いて、例えば図２に示した表示装置２０１に表示された診断結果のうちチャート２０１ｂに対して操作することで、個々の運転操作に対するさらに詳細な評価を得ることができる。
【００３９】
好適な運転操作として、例えば急ハンドルの運転操作（ハンドル操作）に対する診断結果が選択された場合（ステップＳ１４のＹｅｓ）、制御部１０は例えば図５に示すように好適な運転傾向の診断結果としてカーブ走行に係る情報を表示装置２０１に表示させる（ステップＳ１５）。制御部１０は運転傾向のうちの好適な運転部分について、運転情報として記録された実際の走行中の運転映像１２１と、運転映像１２１に対するコメント２０１ｃとを表示装置２０１に表示させる。
【００４０】
一方、不適な運転操作として、例えば急減速の運転操作（減速操作）に対する診断結果が選択された場合（ステップＳ１６のＹｅｓ）、制御部１０は例えば図６に示すように不適な運転傾向の診断結果として急減速に係る情報を表示装置２０１に表示させる（ステップＳ１７）。制御部１０は運転傾向のうちの不適な運転部分について、不適な運転状態に対応する外部記憶部３０に記録された理想映像３１と、理想映像３１に対するコメント２０１ｄとを表示装置２０１に表示させる。急減速に係る理想映像３１は所定の模範コース、例えば自動車教習所のコースを走行したときの減速に係る理想的な運転状態を記録した映像である。
【００４１】
上記第１実施形態のように、運転支援装置１は、走行中に記録された車両の運転映像１２１、運転データ１２２に基づき解析した運転傾向の診断結果を運転者に提示する装置であって、制御部１０が運転傾向を解析するとともに、運転情報として記録された実際の走行中の運転映像１２１と、解析した運転傾向の診断結果とを表示装置２０１に表示させる。これにより、運転者は自身が運転する車両の実際の走行中の運転映像１２１と、解析した運転傾向の診断結果とを表示装置２０１を用いて見ることができる。したがって、運転者自身の運転傾向を、実際の走行中の運転状況と対応させて視覚的に理解することが可能になる。ドライブレコーダ１０１で撮影した実際の映像を見せることにより、ユーザはどのような風景が見えている場合のアドバイスであるかを経験的に知ることができる。単に数値的な評価やアドバイスよりも、ユーザは経験的に運転の良し悪しを知ることができる。ユーザはどのような風景が見えている場合に、良い運転又は悪い運転をしたことになるのかを経験的に知ることができる。
【００４２】
また、上記構成の運転支援装置１は、運転情報が所定の適否条件に基づき判別された不適な運転状態の情報を含むものである。そして、制御部１０は運転情報の不適な運転状態を含まない所定領域を運転傾向のうちの好適な運転部分として認識し、この好適な運転部分に含まれる実際の走行中の運転映像１２１を表示装置２０１に表示させる。これにより、運転者は好適な運転状態であった運転操作に関して、実際の走行中の運転映像１２１を見ることで運転者自身の運転傾向を視覚的に理解することができる。すなわち、運転者は自身の運転における良い操作を容易に理解することが可能になる。
【００４３】
また、上記構成の運転支援装置１は、所定の道路状況に対応した理想の運転状態を記録した理想映像３１を記録する外部記憶部３０を備える。そして、制御部１０は不適な運転状態に対応する外部記憶部３０に記録された理想映像３１を表示装置２０１に表示させることと、を実行する。これにより、運転者は不適な運転状態であった運転操作に関して、理想映像３１を見ることで運転者自身の運転傾向を視覚的に理解することができる。すなわち、運転者は自身の運転の悪い操作に対する理想的な操作を容易に学習することが可能になる。したがって、運転者は、例えば理想的な加速、減速、ハンドル操作、車間距離、車両位置の運転状態をイメージしながら好適な運転技術を習得できるようになる。
【００４４】
なお、理想映像３１は所定の模範コース、例えば自動車教習所のコースを走行したときの運転状態を記録した映像である。これにより、運転者が走行したことが無い地域の映像を見て、理想的な運転操作を学習することを防止することができる。したがって、学習した運転操作の実践時に生じる虞がある運転者の困惑を抑制することが可能になる。
【００４５】
＜１−３．第１実施形態の運転支援装置の変形例＞
続いて、運転支援装置１の変形例について説明する。図７は、運転支援装置１の変形例の表示装置２０１に表示された不適な運転傾向の診断結果を示す正面図である。
【００４６】
図２に示す運転傾向の診断結果としての総合評価から、運転者が不適な運転操作、例えば急減速の運転操作（減速操作）に対する診断結果を選択した場合、制御部１０は例えば図７に示すように不適な運転傾向の診断結果として急減速に係る情報を表示装置２０１に表示させる。制御部１０は運転傾向のうちの不適な運転部分について、運転情報として記録された実際の走行中の運転映像１２１と、運転映像１２１に対するコメント２０１ｅとを表示装置２０１に表示させる。
【００４７】
これにより、運転者は不適な運転状態であった運転操作に関して、実際の走行中の運転映像１２１を見ることで運転者自身の運転傾向を視覚的に理解することができる。すなわち、運転者は自身の運転における悪い操作を容易に理解することが可能になる。
【００４８】
＜２．第２実施形態＞
次に、第２実施形態について説明する。図８は、運転支援装置１における運転操作の診断方法を示す図である。なお、第２実施形態の基本的な構成は先に説明した第１実施形態と同じであるので、第１実施形態と異なる構成要素については以下で説明し、第１実施形態と共通する構成要素については詳細な説明を省略する。
【００４９】
第２実施形態の運転支援装置１の制御部１０は、図８に示す予め定められた所定の閾値Ａに関して、不適な運転状態の発生回数が閾値Ａ未満である運転操作を「好適な運転操作」と判別し、不適な運転状態の発生回数が閾値Ａ以上である運転操作を「不適な運転操作」と判別する。そして、制御部１０は、不適な運転状態の発生回数が所定の閾値Ａ未満である好適な運転操作に関して、運転情報の不適な運転状態を含まない所定領域を運転傾向のうちの好適な運転部分として認識し、この好適な運転部分に含まれる実際の走行中の運転映像１２１を表示装置２０１に表示させる。
【００５０】
上記第２実施形態の構成によれば、不適な運転状態が比較的少ない厳選された運転操作が好適な運転操作として判別される。このような好適な運転操作に関して、実際の走行中の映像を見れば、運転者は運転技術をより一層向上させることが可能になる。
【００５１】
＜３．第３実施形態＞
次に、第３実施形態について説明する。図９は、運転支援装置１の概略構成を示す図である。図１０は、運転支援装置１による運転傾向の診断処理の流れの例の一部を示すフローチャートである。なお、第３実施形態の基本的な構成は先に説明した第１実施形態と同じであるので、第１実施形態と異なる構成要素については以下で説明し、第１実施形態と共通する構成要素については詳細な説明を省略する。
【００５２】
第３実施形態の運転支援装置１は、図９に示すように内部記憶部２０が従前の診断結果２３を記憶する。すなわち、運転支援装置１は新たに運転傾向の診断結果を運転者に提示するにあたって、内部記憶部２０が複数回の運転傾向の診断結果を記憶することとなる。
【００５３】
図３に示すステップＳ１２に相当する運転傾向の解析処理が開始されると（図１０の「開始」）、制御部１０は内部記憶部２０に記録された複数回の診断結果のうちの前後の診断結果を比較する（ステップＳ２１）。すなわち、新たな運転傾向の診断結果と、その前回の運転傾向の診断結果とを比較する。なお、診断結果の前後比較は、例えば加速、減速、ハンドル操作、車間距離、車両位置（ふらつき度合）といった運転操作に関して、個別に行われる。
【００５４】
次に、制御部１０は各運転操作に関して、不適な運転状態の発生回数が前回よりも減少したか否かを判定する（ステップＳ２２）。そして、制御部１０は不適な運転状態の発生回数が前回よりも減少した好適な運転操作について（ステップＳ２２のＹｅｓ）、運転傾向のうちの好適な運転部分として認識する（ステップＳ２３）。
【００５５】
この後、この好適な運転操作に対する診断結果が運転者によって選択された場合、制御部１０はこの好適な運転操作に関して、運転傾向のうちの好適な運転部分について、運転情報として記録された実際の走行中の運転映像１２１と、この運転映像１２１に対するコメントとを表示装置２０１に表示させる。
【００５６】
なお、不適な運転状態の発生回数が前回よりも増加した運転操作を不適な運転操作とし、この不適な運転操作に関して、外部記憶部３０に記録された理想映像３１を表示装置２０１に表示させるようにしても良い。
【００５７】
上記第３実施形態の構成によれば、不適な運転状態の発生回数が前回よりも減少した運転操作が好適な運転操作として判別される。このような好適な運転操作に関して、実際の走行中の運転映像１２１を見れば、運転者は運転技術をより一層向上させることが可能になる。
【００５８】
＜４．第４実施形態＞
次に、第４実施形態について説明する。図１１は、運転支援装置１の概略構成を示す図である。なお、第４実施形態の基本的な構成は先に説明した第１実施形態と同じであるので、第１実施形態と異なる構成要素については以下で説明し、第１実施形態と共通する構成要素については詳細な説明を省略する。
【００５９】
第４実施形態の運転支援装置１は、図１１に示すように内部記憶部２０が理想映像３１を記憶する。理想映像３１としては、例えば急加速、急減速、急ハンドル、狭小車間距離、ふらつきといった不適な運転状態各々に対応して、少なくとも必要最小限の個別の理想的な運転映像が含まれる。これにより、運転支援装置１の処理速度が向上する。したがって、不適な運転状態であった運転操作に関して、理想映像３１を迅速に表示装置２０１に表示することができる。
【００６０】
＜５．変形例＞
以上、本発明の実施形態について説明したが、この発明は上記の実施形態に限定されるものではなく、様々な変形が可能である。以下では、上記実施形態の全体に係る変形例について説明する。なお、上記実施形態の全ての要素と、以下で説明する形態の全ての要素とは、適宜組み合わせて実施することができる。
【００６１】
上記実施形態では、運転支援装置１がドライブレコーダ１０１と別個の装置であることとしたが、運転支援装置はドライブレコーダと一体として構成された装置であっても良い。また、運転支援装置は、プログラムを実行することで運転支援装置として機能するコンピュータであっても良い。このコンピュータとしては、携帯電話やスマートフォン、タブレット端末などの可搬性装置を含む。
【００６２】
また、上記実施形態において、運転傾向に含まれる運転操作が加速、減速、ハンドル操作、車間距離、車両位置（ふらつき度合）であることとしたが、運転操作はこれらに限定されるわけではない。例えば、速度超過やアイドリング時間、長時間運転といった他の運転操作について、運転傾向の診断を行うことにしても良い。
【００６３】
また、上記実施形態では、プログラムに従ったＣＰＵの演算処理によってソフトウェア的に各種の機能が実現されていると説明したが、これらの機能のうちの一部は電気的なハードウェア回路によって実現されても良い。また逆に、ハードウェア回路によって実現されるとした機能のうちの一部は、ソフトウェア的に実現されても良い。
【符号の説明】
【００６４】
１    運転支援装置
２    操作部
３    通信部
１０    制御部
２０    内部記憶部（記憶部）
３０    外部記憶部（記憶部）
３１    理想映像
１０１    ドライブレコーダ
１２１    運転映像（運転情報）
１２２    運転データ（運転情報）
２０１    表示装置
【図１】
2018158609.tif 000003
【図２】
2018158609.tif 000004
【図３】
2018158609.tif 000005
【図４】
2018158609.tif 000006
【図５】
2018158609.tif 000007
【図６】
2018158609.tif 000008
【図７】
2018158609.tif 000009
【図８】
2018158609.tif 000010
【図９】
2018158609.tif 000011
【図１０】
2018158609.tif 000012
【図１１】
2018158609.tif 000013